(57)【要約】【課題】保温カバーに備えた蓋部を閉める前にボンネットを閉めようとしても該蓋部が破損することなく、ボンネットと蓋部とを確実に閉めること。【解決手段】エンジンルームの上方を開閉可能に覆うボンネット１の下方に、エンジンの上方を開閉可能に覆う蓋部３０を備えた保温カバー１０が設けられ、蓋部３０を、車両前後方向における、ボンネット１のヒンジ支点４の側と同じ後端部側にヒンジ支点３６を設け、かつ、ボンネット１とは独立して開閉可能な構造とし、蓋部３０には、該蓋部３０が開時においてボンネット１に係止されるとともに、ボンネット１の閉動作に連動して係止が外れる係止手段４０を備えた。【選択図】図２
2019206947.tif 000002
【特許請求の範囲】
【請求項１】
エンジンルームの上方を開閉可能に覆うボンネットの下方に、エンジンの上方を開閉可能に覆う蓋部を備えた保温カバーが設けられた車両の前部構造であって、
上記蓋部を、車両前後方向における、上記ボンネットのヒンジ支点の側と同じ端部側にヒンジ支点を設け、かつ、上記ボンネットとは独立して開閉可能な構造とし、
上記蓋部には、該蓋部が開時において上記ボンネットに係止されるとともに、上記ボンネットの閉動作に連動して係止が外れる係止手段を備えた
車両の前部構造。
【請求項２】
上記係止手段は、上記ボンネットの全開状態から該全開状態の開度に対して中間開度付近で係止が外れる構成とした
請求項１に記載の車両の前部構造。
【請求項３】
上記蓋部と上記ボンネットは、上記係止手段によって橋渡しされる上記両部材間の橋渡し距離が、上記係止手段が上記ボンネットに係止時よりも該ボンネットから外れる時に広くなる位置関係にあり、上記橋渡し距離が広くなるに伴って、上記蓋部により上記係止手段を前方に引くことで上記ボンネットに対する係止が外れる構成とした
請求項１又は２に記載の車両の前部構造。
【請求項４】
上記係止手段は、上記ボンネット側に備えた被係止部に係止する係止部材と、
該係止部材を先端に備え、少なくとも上記橋渡し距離を有するとともに可撓性を有して上記蓋部から延出する延出部材とで構成され、
上記被係止部は、前方側が開放する開放部が形成された
請求項３に記載の車両の前部構造。
【発明の詳細な説明】
【技術分野】
【０００１】
この発明は、エンジンルームの上方を開閉可能に覆うボンネットの下方に、エンジンの上方を開閉可能に覆う蓋部を備えた保温カバーを設けた車両の前部構造に関する。
【背景技術】
【０００２】
エンジンの次回運転時の暖機早期化等を目的とし、エンジンの熱を保温するためにエンジン上面から側部にかけて保温カバーで覆う構造が知られている（特許文献１参照）。
【０００３】
特許文献１の保温カバー（３０）は、エンジンの上方を覆うとともに、エンジンよりも後方かつ、ボンネットの車体への枢着部よりも前方に枢着された回動可能な蓋部としての上部保温カバー（３３）を備えている。
【０００４】
ところで、特許文献１のように、エンジンの上方を開閉可能に覆う蓋部を備えた保温カバーは、該保温カバーに覆われたエンジン部品の交換やメンテナンス等の際に蓋部を開けた状態に保つために該蓋部をボンネット等に係止する係止手段等を備えた機構も知られている。
【０００５】
しかしながら、ボンネットと、保温カバーの蓋部とでは、閉動作時の回動変位に相対的なずれが生じるため、ボンネットと蓋部とが係止手段によって互いに係止された状態において、万一、蓋部を閉じ忘れる等して開いた状態のままボンネットを閉じようとした場合には、その途中で蓋部が係止手段を介してボンネットに過度に引張られるなどして破損することが懸念される。  
上述した特許文献１には、このような懸念に対する対策について言及されていない。
【先行技術文献】
【特許文献】
【０００６】
【特許文献１】特開２０１７−１７７９６６号公報
【発明の概要】
【発明が解決しようとする課題】
【０００７】
本発明はこのような課題に鑑みてなされたもので、保温カバーに備えた蓋部を閉める前にボンネットを閉めようとしても該蓋部が破損することなく、ボンネットと蓋部とを確実に閉めることができる車両の前部構造の提供を目的とする。
【課題を解決するための手段】
【０００８】
この発明は、エンジンルームの上方を開閉可能に覆うボンネットの下方に、エンジンの上方を開閉可能に覆う蓋部を備えた保温カバーが設けられた車両の前部構造であって、上記蓋部を、車両前後方向における、上記ボンネットのヒンジ支点の側と同じ端部側にヒンジ支点を設け、かつ、上記ボンネットとは独立して開閉可能な構造とし、上記蓋部には、該蓋部が開時において上記ボンネットに係止されるとともに、上記ボンネットの閉動作に連動して係止が外れる係止手段を備えたものである。
【０００９】
上記構成によれば、ボンネット閉動作に連動して係止手段の係止が外れることで、保温カバーに備えた蓋部が破損することなく、ボンネットと共に確実に閉めることができる。
【００１０】
この発明の態様として、上記係止手段は、上記ボンネットの全開状態から該全開状態の開度に対して中間開度付近で係止が外れる構成としたものである。
【００１１】
上記構成によれば、ボンネットの閉動作時に、ボンネットをある程まで開度が低くなるまで傾けてから、或いは、全閉状態に達する直前の開度まで傾ける前に、係止手段の係止が外れることで蓋部に大きな負荷が作用することを抑制できる。
【００１２】
この発明の態様として、上記蓋部と上記ボンネットは、上記係止手段によって橋渡しされる上記両部材間の橋渡し距離が、上記係止手段が上記ボンネットに係止時よりも該ボンネットから外れる時に広くなる位置関係にあり、上記橋渡し距離が広くなるに伴って、上記蓋部により上記係止手段を前方に引くことで上記ボンネットに対する係止が外れる構成としたものである。
【００１３】
上記構成によれば、係止手段によって橋渡しされる上記両部材間の橋渡し距離が、上記係止手段が上記ボンネットに係止時よりも該ボンネットから外れる時に広くなり、これに伴って、上記蓋部により上記係止手段を前方に引くことを利用して、ボンネットの閉動作時に、該ボンネットに対する係止手段の係止を自動的に外すことができる。
【００１４】
この発明の態様として、上記係止手段は、上記ボンネット側に備えた被係止部に係止する係止部材と、該係止部材を先端に備え、少なくとも上記橋渡し距離を有するとともに可撓性を有して上記蓋部から延出する延出部材とで構成され、上記被係止部は、前方側が開放する開放部が形成されたものである。
【００１５】
上記構成によれば、上記被係止部の開放部に対する、係止部の相対位置変化を利用する簡単な構造によって、上記蓋部の保持を自動的に外すことができる。
【発明の効果】
【００１６】
この発明によれば、保温カバーに備えた蓋部を閉める前にボンネットを閉めようとしても該蓋部が破損することなく、ボンネットと蓋部とを確実に閉めることができる。
【図面の簡単な説明】
【００１７】
【図１】ボンネットおよび蓋部が夫々全開開度の状態を示す本実施形態の車両の前部構造の要部を示す左側面図。
【図２】ボンネットおよび蓋部が夫々全開開度の状態を示す本実施形態の車両の前部構造の要部を示す正面図。
【図３】本実施形態の係止手段と被係止部との係止部分を左斜め前方側から視た要部拡大図。
【図４】図２中のＡ−Ａ線拡大断面図。
【図５】ボンネットおよび蓋部が夫々全開開度、係止解除開度、全閉開度の各状態を示す左側面図。
【図６】ボンネットが係止解除開度の状態における図４対応図。
【図７】係止手段を格納部に格納した状態を示す本実施形態の蓋部の要部をその下面側から見た要部拡大図。
【発明を実施するための形態】
【００１８】
以下、図面に基づいて本発明の実施形態を詳述する。  
図中、矢印Ｆは車両前方を示し、矢印Ｒは車両右側を示し、矢印Ｌは車両左側を示し、矢印Ｕは車両上方を示すものとする。
【００１９】
まず、本実施形態の車両の前部構造の前提構造について主に図１、図２を用いて説明する。
【００２０】
車両の前部のエンジンルームの上方には、該エンジンルームを開閉可能に覆うボンネット１（「フード」とも称する）が配設されている。
【００２１】
ボンネット１は、アウタパネル１ａ（図１参照）と、その下側に位置するインナパネル１ｂ（図２参照）とを備え、両パネル間１ａ，１ｂに内部空間１ｓ（図４参照）が適宜構成されるようにアウタパネル１ａの端部を折返して金属板のインナパネル１ｂの端部を挟み、両者を一体として構成している。さらに、インナパネル１ｂの下面（エンジンを臨む側の面）には、その中央部にインシュレータ１ｃ（図２参照）を備えている。
【００２２】
このボンネット１は、その後端部の左右両サイドにおいて、ボディ側に固定されたボンネット１用のヒンジブラケット２にヒンジ３を介して回動自在に支持されている。これにより、ボンネット１は、該ボンネット１を回動自在に支持する、左右一対のボディ側の支持部４（以下、「ボンネット枢着部４」と称する）を支点として開閉可能に構成されている。
【００２３】
また、本実施形態の車両の前部構造には、ボンネット１を開状態に保持するボンネットステー５（「ボンネット支持ロッド」とも称する）を備えている。このボンネットステー５は、例えば、鋼製の丸棒部材に折り曲げ加工を施すことで形成される。
【００２４】
なお、ボンネット１は、前端部下面に設けられたストライカ６を介して、シュラウドパネル８Ｐの上端の車幅方向の中央部に取り付けられたラッチ機構７（図２参照）に係止可能とされている。
【００２５】
ボンネット１の下方には、エンジン上部から側方にかけて覆う、上壁部３４、前壁部（８）、後壁部１３、および左右両側の側壁部１１，１２から構成されるエンジンの保温構造としての保温カバー１０を備えている。
【００２６】
上記保温カバー１０は、カバー本体部２０と、該カバー本体部２０に対して開閉可能に取り付けられ、エンジンを覆う蓋部３０とを備えている。
【００２７】
カバー本体部２０は、車両左右各側においてエンジンの側方を覆うカバー本体右側壁部２１およびカバー本体左側壁部２２（図１参照）と、エンジンの後方を覆うカバー本体後壁部２３と、前壁部としてのシュラウド８を備えている。
【００２８】
ここで、図１に示すように、上述のシュラウド８は、熱交換器としてのラジエータやコンデンサを覆うシュラウドパネル８Ｐと、シュラウドパネル８Ｐの上部に位置するシュラウドアッパメンバ８Ｍとで構成している。シュラウドパネル８Ｐは、図２に示すように、上辺部８Ｕと下辺部８Ｌと、これら上下の各辺部８Ｕ，８Ｌを上下方向に連結する左右のサイド辺部８Ｓ，８Ｓとを略方形枠状に一体形成したものである。上辺部８Ｕの上面車幅方向中央部には、ボンネット１の前端部下面に設けられたストライカ６を係止するラッチ機構７が設けられている（図２参照）。  
シュラウドアッパメンバ８Ｍは、車幅方向に延び、その車幅方向の両サイドは、車幅方向外側程後方に延び、エプロンを介してヒンジピラーに連結されている。
【００２９】
また図１、図２に示すように、カバー本体右側壁部２１は、エンジンの右側方（車両右側におけるエンジンの側方）の全体を覆うように配設しておらず、エンジンの右側方の車両前後方向における前側略半分に相当する領域のみを覆うように配設されており、後側略半分に相当する領域には、縦壁状のエンジンマウントブラケット９０を配設している。
【００３０】
保温カバー１０におけるカバー本体部２０と、エンジンマウントブラケット９０とは、図示省略するが、例えば、エンジンに対して左右両サイドに配設され、車両前後方向に延びる閉断面を構成する不図示の左右一対のフロントサイドフレーム等のボディにボルト等により取付け支持されている。
【００３１】
図１、図２に示すように、蓋部３０は、天面を構成する上壁部３４と、車両左右各側においてエンジンの側方上部を覆う蓋部右側壁部３１（図２参照）および蓋部左側壁部３２と、エンジンの後方上部を覆う蓋部後壁部３３とを備えている。
【００３２】
蓋部右側壁部３１、蓋部左側壁部３２および蓋部後壁部３３は、夫々上壁部３４の右縁、左縁、後縁から下方にスカート状に延びている。そして上壁部３４は、その上面がボンネット１の形状に対応して、後部から前方に向けて徐々に程低くなるように緩やかに傾斜して形成している（図１参照）。
【００３３】
蓋部３０の下端周縁、すなわち、上壁部３４の前下縁と、蓋部後壁部３３、蓋部右側壁部３１および蓋部左側壁部３２の各下縁とには、これら下端から平面視で外側へ延びるフランジ部３８が一体形成されている（図３参照）。
【００３４】
ここで、右側壁部１１は、図１、図２に示すように、蓋部右側壁部３１およびカバー本体右側壁部２１によって、左側壁部１２は、図１に示すように、蓋部左側壁部３２およびカバー本体左側壁部２２によって、後壁部１３は、図１、図２に示すように、蓋部後壁部３３およびカバー本体後壁部２３によって、何れも縦壁状に構成している。
【００３５】
上述のカバー本体部２０および蓋部３０は、何れも合成樹脂製の外皮部材１４と、当該外皮部材１４の内面に一体的に配設された保温部材１５とを備えている。  
保温部材１５は、保温効果に加えて吸音効果を有するように例えば、グラスウール材やウレタン材等から形成されており、配設対象の外皮部材１４の内面の適宜の部位にクリップ等により取り付けられている。
【００３６】
蓋部３０は、カバー本体後壁部２３の上端から車幅方向に間隔を隔てた左右両サイドに、左右一対のヒンジ３５（図１参照）を介して回動自在に支持されている。
【００３７】
これにより、蓋部３０は、該蓋部３０を回動自在に支持する、カバー本体後壁部２３における左右一対の支持部３６（以下、「蓋部枢着部３６」と称する）を支点として枢着されている。
【００３８】
蓋部枢着部３６は、ボンネット１の後端に位置するボンネット枢着部４と同じ、保温カバー１０の後端部側に設けられ、車両側面視においてボンネット枢着部４に対して車両前方かつ、若干下方にずらした位置に設けられている。
【００３９】
図１、図２に示すように、蓋部３０の周縁、すなわち、蓋部３０の下縁部に設けた各フランジ部３８の下面等、該蓋部３０が閉時にカバー本体部２０およびエンジンマウントブラケット９０との対向縁部には、ラバー部材から成る舌片状のシール部材７０が取り付けられており、蓋部３０は、閉時においてシール部材７０を介してカバー本体部２０およびエンジンマウントブラケット９０に弾性支持される。
【００４０】
図１、図２に示すように、上述した蓋部３０には、ボンネットステー５によって開状態に保持されたボンネット１側の被係止部６２（図２参照）に対して係止することで該蓋部３０を開状態に保持する係止手段４０を備えている。  
以下では、上述した前提構造に対して、係止手段４０および被係止部６２等を備えた本実施形態の車両の前部構造について図１〜図４を用いて説明する。  
図２〜図４に示すように、係止手段４０は、ボンネット１と蓋部３０との間に橋渡しされ、蓋部３０側から延出する可撓性を有する長尺部材としての帯状のバンド４１と、ボンネット１側に係止する係止部材５１とで構成される。  
なお、長尺部材は、帯状のバンド４１に限らず、例えば、紐やチェーンを採用してもよく、ボンネット１と蓋部３０との間を繋ぐことが可能な強度や長さを有するものであれば特に限定しない。
【００４１】
図３、図４に示すように、係止部材５１は、直線状に延ばしたバンド４１と同一直線上に配置した状態で、バンド４１の長手方向に一致する方向に長手方向を有するとともに、車幅方向に短手方向を有する正面視矩形状の板状に形成される。係止部材５１は、ボンネット１側に備えた被係止部６２に係止する枠状の係止枠部５２と、把持部５３と、バンド４１の先端側（長さ方向の一端側）に取り付けられるバンド取付け枠部５４とを、この順に長手方向に沿って樹脂成形により一体に形成している。以下、係止部材５１の長手方向のうち、係止枠部５２側を係止部材５１の前方とし、バンド取付け枠部５４側を係止部材５１の後方として説明する。
【００４２】
係止枠部５２は、その正面視中央部に厚み方向に貫通し、ボンネット１側の被係止部６２の挿通を許容する貫通孔５２ａを有する枠状（閉環状）に形成され、その前端側に、被係止部６２に係止可能に車幅方向に円柱状に延びる係止部５２ｂを備えている。
【００４３】
バンド取付け枠部５４は、その正面視中央部が厚み方向に貫通するとともに、その後端側に、車幅方向に延びる円柱状の枢軸部５４ａを備え、枢軸部５４ａをバンド４１の先端側の環状部４３に挿通することによってバンド４１の先端部に取り付けられている。
【００４４】
把持部５３は、係止部材５１の車幅方向の中央位置にて長手方向に沿って直線状に延びるとともに、係止枠部５２とバンド取付け枠部５４とを一体に連結する連結杆５５と、該連結杆５５に対して車幅方向の両サイドに間隔を隔てて互いに平行に配設され、バンド取付け枠部５４側から係止枠部５２の手前まで片持ち状に延びる左右一対のレバーとしての弾性杆５６とを備えている。
【００４５】
一対の弾性杆５６は、その前方への突出方向の先端部（前部）に、後述する格納部８０側へ係止可能に車幅方向外側に突出する格納部係止爪５７がそれぞれ形成されるとともに、係止部材５１の一方の面（詳しくは、係止部材５１を被係止部６２に係止した状態において（図３参照）略車両前方を向く面）から突出する摘み片５８がそれぞれ形成されている。
【００４６】
一対の弾性杆５６は、前部（突出方向の先端部）が、一対の摘み片５８を使用者が指で摘んで車幅方向内側（連結杆５５に近接する側）に付勢することで撓み変形（弾性変形）可能に形成されている。
【００４７】
ここで図３、図４に示すように、係止部材５１を係止するボンネット１側に備えた上記被係止部６２は、ボンネット１に取り付けたクリップ６０の一部として備えている。  
クリップ６０は図４に示すように、ボンネット１に形成したクリップ取付け孔９に取り付けるボンネット取付け部６１と、上記被係止部６２とで樹脂成形により一体に形成されている。クリップ取付け孔９は、ボンネット１の前部かつ車幅方向中央位置（クリップ取り付け位置）にて、インシュレータ１ｃおよびインナパネル１ｂに貫通形成した貫通孔である。
【００４８】
ボンネット取付け部６１は、クリップ取付け孔９への差込み方向を向く矢印形状に形成され、クリップ取付け孔９に差し込み可能な差込み部６３と、該差込み部６３の基端部（被係止部６２側）から鍔状（吸盤状）に張り出した張出し部６４とで一体に形成され、差込み部６３をクリップ取付け孔９に差し込んだ状態で、差込み部６３と張出し部６４とでインシュレータ１ｃおよびインナパネル１ｂを挟み込むようにしてボンネット１に取り付けられる。
【００４９】
上記被係止部６２は、クリップ６０をクリップ取付け孔９に取り付けた状態において、インシュレータ１ｃからボンネット１の前端側に向けて先端が突き出すフック状に形成されている。
【００５０】
この被係止部６２について、ボンネット１が全閉時における被係止部６２の姿勢に基づいて図４を用いて説明する。  
被係止部６２は、突出方向の基部側が、インシュレータ１ｃと離間する下方向に延びるとともに、基部側よりも先端側が、先端に向けて徐々に前方（ボンネット１の先端側）に向けて延びており、車両側面視でＣ環状に形成されている。
【００５１】
詳しくは、被係止部６２の先端部６２ａは、ボンネット取付け部６１（張出し部６４）に対して車両下方に離間しており、被係止部６２とボンネット取付け部６１との間には、車両側面視でこれら被係止部６２とボンネット取付け部６１とによって囲まれた内部空間６２ｓが構成されている。
【００５２】
この内部空間６２ｓの前方には、前方側に向けて開放する開放部６５を備えている。被係止部６２の内部空間６２ｓと開放部６５とは、共に係止部５２ｂを挿通可能に形成しているが、開放部６５は内部空間６２ｓよりも車両上下方向の幅が小さく形成されている。
【００５３】
図２に示すように、係止手段４０に備えたバンド４１は、その長さ方向の基端部（他端部）がボンネット１側のクリップ取り付け位置に対応して蓋部３０の前部かつ車幅方向中央部に取り付けられている。
【００５４】
図３、図４に示すように、蓋部３０における、このバンド取付け部３７は、蓋部３０の前側フランジ部３８ｆの内面（下面）側かつ後部に設けられ、バンド４１の長さ方向の基端部に形成した環状部４２に挿通した状態で該基端部を回動自在に軸支可能に車幅方向に延びるバンド軸支部３７ａを備えている。
【００５５】
バンド４１は、その長さ方向の先端部（一端部）についても基端部と同様に環状部４３が形成されており、この環状部４３に係止部材５１のバンド取付け枠部５４に形成した枢軸部５４ａを挿通することで、該枢軸部５４ａを回動軸としてバンド４１の長さ方向の先端部に対して係止部材５１を回動自在に取り付けている。
【００５６】
また上述したように、係止手段４０の係止部５２ｂをボンネット１側の被係止部６２に係止した状態において、係止手段４０は、図３、図４に示すように、蓋部３０の内面側に設けたバンド取付け部３７から一旦、該蓋部３０の前側フランジ部３８ｆの先端（前端）を経由してから被係止部６２に向かうように取回されている。すなわち、バンド取付け部３７から蓋部３０の先端（前側フランジ部３８ｆ）へ向かうバンド４１は、蓋部３０の先端を折返し点４４として方向転換され、被係止部６２まで前下後上状に傾斜して直線状に延出している。
【００５７】
このような蓋部３０の先端の折返し点４４を経由した、蓋部３０側のバンド取付け部３７からボンネット１側の被係止部６２までの距離は、バンド４１の長さと係止部材５１の長手方向長さとを合算した距離に略相当し、このうち、蓋部３０の前端に位置するバンド４１の折返し点４４からボンネット１側の被係止部６２までの距離が、両部材１，３０間を橋渡す距離Ｌａ（以下、「橋渡し距離Ｌａ」と称する）に相当する（図４参照）。
【００５８】
図１、図２に示すように、蓋部３０は、上述した係止手段４０をボンネット１側の被係止部６２に係止することによって、ボンネットステー５によって全開開度で傾いた姿勢（全開状態）に保たれたボンネット１に、略上端が吊り下げられた状態となり、このとき該蓋部３０も同様に全開開度で傾いた姿勢（全開状態）に保持される。
【００５９】
ここで、ボンネット１の全開開度は、ボンネット１を開けてエンジンルームを覗き込む等エンジンルームの上方に頭を前方から差入れた人がボンネット１に頭打ちしない頭打ち回避開度と、車両前方から人の手が開状態のボンネット１の上端に届く手届き開度との双方を満たす開度範囲を満たすように設定している。  
具体的に本実施形態では、ボンネット１の全開開度を約４７度に設定している。
【００６０】
同様に、蓋部３０の全開開度についてもカバー開度が頭打ち回避開度と手届き開度の双方を考慮した範囲を満たす開度となるように設定されおり、本実施形態では、約７０度に設定している。
【００６１】
すなわち、係止手段４０のバンド４１の長さは、蓋部３０が頭打ち回避開度と手届き開度の双方を満たす開度で全開開度のボンネット１に止される橋渡し距離Ｌａとなるように設定される。
【００６２】
またこのように、ボンネット１と蓋部３０とが共に全開開度のとき、図４に示すように、係止部５２ｂは、被係止部６２の内部空間６２ｓにおける、開放部６５に対して後方に離間した後端位置、すなわち被係止部６２の基部側にて該被係止部６２にしっかりと係止される（図４参照）。
【００６３】
ところで、係止手段４０は、ボンネット１の閉動作に連動して該ボンネット１側の被係止部６２との係止が外れる構成としている。
【００６４】
ボンネット１と蓋部３０は、係止手段４０によって橋渡しされる上記両部材１，３０間の橋渡し距離Ｌａが、被係止部６２に対して係止部５２ｂが係止時よりも外れる時に広くなる位置関係に設定している。
【００６５】
両部材１，３０のこのような位置関係の設定により、ボンネット１が、係止部５２ｂが被係止部６２から外れる所定の開度（以下、「係止解除開度」と称する）に近付くに従って、前方への変位量（回動変位のうち車両前方への変位成分）がボンネット１よりも蓋部３０の方が相対的に大きくなり、これに起因して橋渡し距離Ｌａ（被係止部６２と折返し点４４とを最短で結ぶ距離）は、係止手段４０における、ボンネット１と蓋部３０とを直線状に繋ぐ部分の長さよりも広くなる。すなわち、橋渡し距離Ｌａは、係止部５２ｂを被係止部６２によって係止し続けることができない距離まで広くなる。
【００６６】
このように、橋渡し距離Ｌａが広がるに伴って、蓋部３０は、係止部材５１を被係止部６２に対して前方に引くテンションをバンド４１に対して作用させることができ、このテンションを利用して被係止部６２に対する係止部５２ｂの係止を開放部６５を通じて外す構成としたものである。
【００６７】
具体的には、図５中に仮想線で示すように、ボンネット１と蓋部３０とが共に全開開度のとき、係止部５２ｂは上述したように、被係止部６２にその内部空間６２ｓの後端において係合された状態となる（図４参照）。
【００６８】
その状態からボンネット１の閉動作に連動して係止手段４０を介して蓋部３０の閉動作も行われる（すなわち開度が小さくなっていく）。このとき、係止部５２ｂは、被係止部６２に係合された状態で内部空間６２ｓにおいてその後端から被係止部６２の内縁（上線）に沿って前方（被係止部６２の先端部６２ａ側）にスライドしていき、図６中に実線で示すように、ボンネット１が係止解除開度に達したときに、係止部５２ｂは図５に示すように、開放部６５を通じて被係止部６２から外れる。
【００６９】
ここで、ボンネット１が係止解除開度のとき、係止部材５１が被係止部６２から外れるという構成は、上述したように、ボンネット１と蓋部３０との位置関係、すなわち、ボンネット１と蓋部３０との閉動作時における、夫々の回動変位の相対的なズレを利用したものである。
【００７０】
詳しくは、例えば、両部材１，３０の枢着部４，３６の相対的なレイアウトの違いや回動半径（枢着部４，３６と被係止部６２とを結ぶ各距離）の違い、さらには、被係止部６２における開放部６５の形成位置等、被係止部６２の形状や、橋渡し距離Ｌａ（係止手段４０の長さや被係止部６２のボンネット１への取付け位置）等に基づいて具現化することができる。
【００７１】
本実施形態において、ボンネット１の閉動作時に全開開度（例えば、４７度）に対して約半分の開度である中間開度またはその付近で係止が外れる構成としており、ボンネット１の係止解除開度を約３０度に設定している。なお、このときの蓋部３０の係止解除開度は約４０〜４５度に設定している。
【００７２】
続いて係止解除開度の設定理由について詳述する。  
蓋部３０は、係止部５２ｂがボンネット１側の被係止部６２から外れた後は、該ボンネット１とは独立して自重落下することにより閉動作が行われる。このため、上述した本実施形態のボンネット１と蓋部３０との位置関係の下でボンネット１の係止解除開度を、仮に中間開度付近よりも大きい開度に設定した場合には、その分、蓋部３０が独立して閉動作（自重落下）する変位量が大きくなるため、図５中にて一点鎖線で示すように蓋部３０が全閉時に、カバー本体部２０から受ける衝撃が大きくなることが懸念される。
【００７３】
一方、使用者は、ボンネット１が全閉状態となるまで完全に閉じる手前の開度（例えば、約２０度）まで傾けた状態から、それまで保持していたボンネット１から手を放して該ボンネット１を自重落下させたり、軽く押さえつけるなどして、ボンネット１の自重落下の衝撃を利用してストライカ６をラッチ機構７へ係合させる等してボンネット１を全閉させることがしばしば行われる。
【００７４】
このような状況において、上述したボンネット１と蓋部３０との位置関係の下でボンネット１の係止解除開度を、仮に中間開度付近よりも小さい開度に設定した場合には、蓋部３０は、使用者がボンネット１から手を放す時点で係止部５２ｂがボンネット１側の被係止部６２から外れずに、ボンネット１が自重落下する途中で被係止部６２から外れることを余儀なくなれるため、係止部５２ｂを被係止部６２から安定して外すことが困難になることが懸念される。
【００７５】
よって、ボンネット１の係止解除開度を、蓋部３０が自重落下したときに受ける衝撃を許容できる上限開度よりも小さくかつ、ボンネット１の全閉直前において使用者がボンネット１の支持を解除し始める開度（ボンネット支持解除開度）よりも大きくなる範囲を満たすように上述した値（例えば、約３０度）に設定している。
【００７６】
また図７に示すように、係止手段４０は、不使用時には、蓋部３０の内面（下面）に設けられた格納部８０に格納される。以下、格納部８０について主に図３、図６、図７を用いて説明するが、蓋部３０を閉時のときの姿勢に基づいて説明する。
【００７７】
格納部８０は、蓋部３０の内面の前部における、バンド取付け部３７の後方位置かつ車幅方向中央位置に配設している（図２参照）。
【００７８】
係止手段４０は、係止部材５１が、一対の摘み片５８が下方に突出するとともに係止部５２ｂが前方を向く姿勢で蓋部３０の内面に対向するように格納部８０に対して取り外し可能に格納することができる。そして、格納部８０には、このような係止部材５１の正面視外周を取り囲むように蓋部３０の内面から下方へ立設する縦壁状の格納壁部８１を備えている。
【００７９】
係止手段４０における、係止部材５１を含めた先端側部分（図７参照）は、格納壁部８１によって、その正面視内側に構成される格納空間８０ｓ（図６参照）に嵌め込まれた状態で格納される。
【００８０】
格納壁部８１は、前方から後方に沿って、係止部材５１の長手方向における係止枠部５２、把持部５３およびバンド取付け枠部５４の夫々を格納する前側格納壁部８２、中間格納壁部８３、後側格納壁部８４に区分けして構成される。
【００８１】
図３、図６に示すように、前側格納壁部８２に備えた左右の各側壁、および後側格納壁部８４に備えた左右の各側壁には、蓋部３０の内面に対してバンド４１の厚みに相当する高さで下方へ嵩上げした状態で係止部材５１を支持可能な係止部材支持台８５が、該蓋部３０の内面に対して下方へ立設されている。
【００８２】
そして、前側格納壁部８２および後側格納壁部８４の夫々に備えた左右一対の係止部材支持台８５は、共にバンド４１の幅に相当する間隔を隔てて立設されている。
【００８３】
また図３に示すように、前側格納壁部８２に備えた前壁８２ａの車幅方向中央部は、蓋部３０の内面と同じ高さになるように凹んだ凹部８２ｂが形成されており、この凹部８２ｂについても、バンド４１の幅に相当する幅に形成されている。
【００８４】
これにより図７に示すように、格納部８０は、その格納空間８０ｓの上下方向の上側の領域に、上記凹部８２ｂを介して格納部８０の前方から格納空間８０ｓに取り込んだバンド４１の先端側部分４１Ｆを配置可能に構成するとともに、格納空間８０ｓの下側の領域に、該バンド４１の先端側部分４１Ｆに対して係止部材５１を枢軸部５４ａを支点として折り返して下方から配置可能に構成している。このとき、バンド４１の先端側部分４１Ｆは、前側格納壁部８２および後側格納壁部８４の各左右一対の係止部材支持台８５間の領域に配置されるとともに、係止部材５１は、係止部材支持台８５に支持された状態で格納される。
【００８５】
さらに図３、図６、図７に示すように、左右一対の中間格納壁部８３の下端（下方への突出方向の先端部）には、車幅方向内側へ突出し、格納部８０に格納した係止手段４０を下方から抑える押さえ片８６が形成されている。
【００８６】
図７に示すように、この押さえ片８６を係止部材５１の格納部係止爪５７（図３、図７参照）に係合することで、格納空間８０ｓに上下各側に折り重ね合うようにして格納した係止部材５１とバンド４１の先端側部分４１Ｆとを押さえ片８６によって下方からまとめて押さえ込むようにして保持することができる。
【００８７】
そして、係止手段４０を格納空間８０ｓに格納する、又は格納状態から取り出す際には、左右一対の摘み片５８を摘んで弾性杆５６をレバーのように車幅方向内側に撓み変形させることで容易に係脱することができる。
【００８８】
上述したように、本実施形態の車両の前部構造は、エンジンルームの上方を開閉可能に覆うボンネット１の下方に、エンジンの上方を開閉可能に覆う蓋部３０を備えた保温カバー１０が設けられた車両の前部構造であって、蓋部３０を、車両前後方向における、ボンネット１の前後方向におけるヒンジ支点としてのボンネット枢着部４の側と同じ後端部側に蓋部枢着部３６（ヒンジ支点）を設け（図１参照）、かつ、ボンネット１とは独立して開閉可能な構造とし（図１、図２参照）、蓋部３０には、該蓋部３０が開時においてボンネット１に係止されるとともに（図１〜図４参照）、ボンネット１の閉動作に連動して係止が外れる係止手段４０を備えたものである（図６参照）。
【００８９】
上記構成によれば、蓋部３０を係止手段４０によって、開状態のボンネット１に係止することで、蓋部３０も開状態に保持することができる。そして、ボンネット１の閉動作の前に係止手段４０（係止部５２ｂ）をボンネット１側（被係止部６２）から外し、その後、蓋部３０を閉め忘れるという、使用者による、蓋部３０の閉動作が不注意等の理由により適切に行われなかった場合においても、ボンネット１閉時に、ボンネット１閉動作に連動して係止手段４０の係止が外れることで、蓋部３０がボンネット１の閉動作時の回動軌道に拘束された閉動作を強いられることで破損することがなく、該ボンネット１の回動軌道とは独立した回動軌道により確実に閉じることができる。
【００９０】
この発明の態様として、係止手段４０は、ボンネット１の全開状態から該全開状態の開度に対して中間開度付近で係止が外れる構成としたものである（図５、図６参照）。
【００９１】
上記構成によれば、ボンネット１の閉動作時に、ボンネット１をある程まで開度が低くなるまで傾けてから、或いは、全閉状態に達する直前の開度（ボンネット支持解除開度）まで傾ける前に、係止手段４０の係止が外れることで蓋部３０に大きな負荷が作用することを防ぐことができる。
【００９２】
この発明の態様として、ボンネット１と蓋部３０とは、係止手段４０によって橋渡しされる両部材１，３０間の橋渡し距離Ｌａが、係止手段４０がボンネット１に係止時よりも該ボンネット１から外れる時に広くなる位置関係にあり、橋渡し距離Ｌａが広くなるに伴って、蓋部３０により係止部材５１を前方に引くことでボンネット１に対する係止が外れる構成としたものである（図６参照）。
【００９３】
上記構成によれば、係止手段４０によって橋渡しされる両部材１，３０間の橋渡し距離Ｌａが、係止手段４０がボンネット１に係止時よりも該ボンネット１から外れる時に広くなり、これに伴って、保温カバー１０により係止部材５１を前方に引くことを利用して、係止手段４０は、ボンネット１を閉める際に、ボンネット１に対する係止を自動的に外すことができる。
【００９４】
この発明の態様として、係止手段４０は、ボンネット１側に備えた被係止部６２に係止する係止部材５１と、該係止部材５１を先端に備え、該係止部材５１の長手方向長さと合算したとき少なくとも橋渡し距離Ｌａを有するとともに可撓性を有して蓋部３０から延出するバンド４１（延出部材）とで構成され（図３、図４、図６参照）、被係止部６２は、前方側が開放する開放部６５が形成されたものである（図４、図６参照）。
【００９５】
上記構成によれば、被係止部６２の開放部６５に対する、係止部５２ｂの相対位置変化を利用する簡単な構造によって、蓋部３０の保持を自動的に外すことができる。
【００９６】
この発明は、上述の実施例の構成のみに限定されるものではなく様々な実施形態で形成することができる。  
【符号の説明】
【００９７】
１…ボンネット
１０…保温カバー
４…ボンネット枢着部（ボンネットのヒンジ支点）
３０…蓋部
３６…蓋部枢着部（保温カバーのヒンジ支点）
４０…係止手段
４１…バンド（延出部材）
５１…係止部材
６２…被係止部
６５…開放部
Ｌａ…橋渡し距離
【図１】
2019206947.tif 000003
【図２】
2019206947.tif 000004
【図３】
2019206947.tif 000005
【図４】
2019206947.tif 000006
【図５】
2019206947.tif 000007
【図６】
2019206947.tif 000008
【図７】
2019206947.tif 000009